(57)【要約】      （修正有）【課題】本、雑誌、映画やゲーム等の各種コンテンツが格納された記憶媒体等の各種情報媒体の発売情報をユーザが確実に知ることや登録したユーザ個人情報を表示し確認することを可能とする。【解決手段】情報媒体の発売情報提供システムは、情報処理装置１がインターネット１０を介してユーザの通信端末１１〜１５に対し情報媒体の発売情報を提供するものであり、情報処理装置は、ユーザからのユーザ登録情報を登録するユーザ登録手段と、ユーザからの情報媒体特定情報を登録する第１登録手段と、情報媒体の発売情報及び情報媒体特定情報を記憶する記憶手段と、記憶された情報媒体が登録された情報媒体特定情報の情報媒体であるか否かを検索する検索手段と、登録された情報媒体に関するユーザ個人情報を更新可能に登録する第２登録手段等を備え、ユーザに検索された情報媒体の発売情報を送信し、ユーザの要求に応じてユーザ個人情報を表示する。【選択図】図１
2010128910.tif 000002
【特許請求の範囲】
【請求項１】
情報処理装置がネットワークを介してユーザの通信端末に対し情報媒体の発売情報を提供するシステムであって、
前記情報処理装置は、ユーザの通信端末から送信された情報を受信する受信手段と、
ユーザの通信端末から送信されたユーザ登録情報を前記受信手段で受信して登録するユーザ登録手段と、
ユーザの通信端末から送信された情報媒体の特定のための情報媒体特定情報を前記受信手段で受信して登録する第１登録手段と、
情報媒体の発売情報及び情報媒体特定情報を記憶する記憶手段と、
前記記憶手段に発売情報が記憶された情報媒体が前記第１登録手段に登録された情報媒体特定情報で特定された情報媒体であるか否かを検索する検索手段と、
前記登録された情報媒体に関するユーザ個人情報を前記受信手段で受信して更新可能に登録する第２登録手段と、
前記通信端末に対しネットワークを介して送信を行う送信手段と、を備え、
前記ユーザの通信端末に、前記検索手段で検索された情報媒体の発売情報を前記送信手段により送信するとともに、前記通信端末の要求情報に応じて前記ユーザ個人情報を表示することを特徴とする情報媒体の発売情報提供システム。
【請求項２】
前記情報処理装置は、前記登録したユーザが前記通信端末で前記情報処理装置にアクセスしたとき、前記登録された情報媒体特定情報の少なくとも一部を含む関連情報を前記通信端末に表示する請求項１に記載の情報媒体の発売情報提供システム。
【請求項３】
情報処理装置がネットワークを介してユーザの通信端末に対し情報媒体の発売情報を提供する方法であって、前記情報処理装置が次の各ステップ（ａ）乃至（ｈ）を実行することを特徴とする情報媒体の発売情報提供方法。
（ａ）ユーザの通信端末から送信されたユーザ登録情報を前記情報処理装置の受信手段で受信し、前記ユーザ登録情報を前記情報処理装置のユーザ登録手段に登録するステップ、
（ｂ）ユーザの通信端末から送信された情報媒体の特定のための情報媒体特定情報を前記受信手段で受信し、前記情報処理装置の第１登録手段に登録するステップ、
（ｃ）前記登録された情報媒体に関するユーザ個人情報を前記受信手段で受信し、前記情報処理装置の第２登録手段に更新可能に登録するステップ、
（ｄ）情報媒体の発売情報及び情報媒体特定情報を前記情報処理装置の記憶手段に記憶するステップ、
（ｅ）前記記憶手段に発売情報が記憶された情報媒体が前記第１登録手段に登録された情報媒体特定情報で特定された情報媒体であるか否かを前記情報処理装置の検索手段が検索するステップ、
（ｆ）ユーザの通信端末に前記検索手段で検索された情報媒体の発売情報を送信するステップ、
（ｇ）ユーザの通信端末に前記ユーザの通信端末からの要求情報に応じて前記ユーザ個人情報を表示するステップ、
（ｈ）前記登録したユーザが前記通信端末で前記情報処理装置にアクセスしたとき、前記登録された情報媒体特定情報の少なくとも一部を含む関連情報を前記通信端末に表示するステップ。
【請求項４】
前記発売情報に情報媒体の発売日情報が含まれ、前記送信ステップ（ｆ）が前記発売日情報にあわせて実行される請求項３に記載の情報媒体の発売情報提供方法。
【請求項５】
請求項１または２に記載の情報媒体の発売情報提供システムの情報処理装置を前記各手段として機能させるためまたは請求項３または４に記載の情報媒体の発売情報提供方法の前記各ステップを情報処理装置に実行させるためのプログラム。
【発明の詳細な説明】
【技術分野】
【０００１】
本発明は、本、雑誌、新聞、または、映画や音楽やゲーム等の各種コンテンツが格納された磁気テープ・ＣＤ・ＤＶＤ・高密度光ディスク等の記憶媒体等の各種情報媒体の発売情報をネットワークを介してユーザの通信端末に提供するシステム・方法及びプログラムに関する。
【背景技術】
【０００２】
本、雑誌、新聞、または、映画や音楽やゲーム等が格納された磁気テープ・ＣＤ・ＤＶＤ・ブルーレイディスク等の高密度光ディスク等の記憶媒体などの各種の情報媒体は、その販売が定期的に行われるものと、不定期的に行われるものとがあるが、これらの販売時期を知るにはインターネットを介して出版元や販売元等が提供するＷｅｂサイトから販売情報を得ることが一般的であった。
【発明の開示】
【発明が解決しようとする課題】
【０００３】
本や雑誌や新聞や記憶媒体等の情報媒体は、特に不定期に販売されるものに関しては、その発売時期をユーザは知らないことが多く、知ったとしても忘れがちであり、定期的にインターネットを介して販売元等が提供するサイトにアクセスすることも失念しがちであり、また面倒であり、発売時期を逃して買いそびれることも多い。また、定期的に発売されるものでも、その発売時期を忘れることも起こりがちであり、特に月刊や季刊等のものでは忘れ易いものである。
【０００４】
さらに、同一タイトル・同一著作者で分冊されて発行される著作集などの場合、ユーザは、続けて購読しようとしても、第何巻まで購入し読み終わったかを忘れ易く、上述のように不定期に発売され、発売間隔があいたときなどは特に忘れてしまいがちである。
【０００５】
本発明は、上述のような従来技術の問題に鑑み、本、雑誌、新聞、または、映画や音楽やゲーム等の各種コンテンツが格納された記憶媒体等の各種の情報媒体の発売情報をユーザが確実に知ることができかつ情報媒体に関する登録したユーザ個人情報を表示し確認可能な情報媒体の発売情報提供システム、方法及びプログラムを提供することを目的とする。
【課題を解決するための手段】
【０００６】
上記目的を達成するために、本実施形態による情報媒体の発売情報提供システムは、情報処理装置がネットワークを介してユーザの通信端末に対し情報媒体の発売情報を提供するシステムであって、前記情報処理装置は、ユーザの通信端末から送信された情報を受信する受信手段と、ユーザの通信端末から送信されたユーザ登録情報を前記受信手段で受信して登録するユーザ登録手段と、ユーザの通信端末から送信された情報媒体の特定のための情報媒体特定情報を前記受信手段で受信して登録する第１登録手段と、情報媒体の発売情報及び情報媒体特定情報を記憶する記憶手段と、前記記憶手段に発売情報が記憶された情報媒体が前記第１登録手段に登録された情報媒体特定情報で特定された情報媒体であるか否かを検索する検索手段と、前記登録された情報媒体に関するユーザ個人情報を前記受信手段で受信して更新可能に登録する第２登録手段と、前記通信端末に対しネットワークを介して送信を行う送信手段と、を備え、前記ユーザの通信端末に、前記検索手段で検索された情報媒体の発売情報を前記送信手段により送信するとともに、前記通信端末の要求情報に応じて前記ユーザ個人情報を表示することを特徴とする。
【０００７】
この情報媒体の発売情報提供システムによれば、ユーザは通信端末によりネットワークを介して情報処理装置が提供するサイトにアクセスし、情報処理装置のユーザ登録手段にユーザ登録をしてから、発売情報が必要な情報媒体を情報媒体特定情報として第１登録手段に登録しておくことで、記憶手段に記憶された情報媒体の発売情報が検索手段で情報媒体特定情報により検索され、ヒットした情報媒体の発売情報がユーザの通信端末に送信されるので、ユーザは登録した情報媒体の発売情報を確実に知ることができるとともに、登録された情報媒体に関するユーザ個人情報を第２登録手段に登録し、逐次更新できるので、ユーザは自ら登録したユーザ個人情報を表示し確認でき、しかも最新の情報を確認できる。
【０００８】
なお、情報媒体特定情報は、情報媒体のタイトル（題名）、著作者、出版社（発売元）等であってよいが、これらに限定されるものではない。
【０００９】
また、登録された情報媒体に関するユーザ個人情報としては、例えば、分冊されて発行される著作集や全集のうち購入済みの巻数や読み終わった巻数等の購入情報や読破情報等であってよく、ユーザは購入情報や読破情報を確認することができ、便利である。ただし、上記ユーザ個人情報としては、これに限定されるものではない。
【００１０】
上記情報媒体の発売情報提供システムにおいて前記情報処理装置は、前記登録したユーザが前記情報処理装置にアクセスしたとき、前記登録された情報媒体特定情報の少なくとも一部を含む関連情報を前記通信端末に表示することで、例えばマイページ情報として表示されて、ユーザは登録された情報媒体特定情報の少なくとも一部を確認することができる。
【００１１】
なお、かかる関連情報としては、例えば、登録済みの情報媒体のタイトルや著作者や分冊されて発行される著作集の発行済み巻数などであってよいが、これらに限定されるものではない。
【００１２】
本実施形態による情報媒体の発売情報提供方法は、情報処理装置がネットワークを介してユーザの通信端末に対し情報媒体の発売情報を提供する方法であって、前記情報処理装置が次の各ステップ（ａ）乃至（ｈ）を実行するを特徴とする。
（ａ）ユーザの通信端末から送信されたユーザ登録情報を前記情報処理装置の受信手段で受信し、前記ユーザ登録情報を前記情報処理装置のユーザ登録手段に登録するステップ、
（ｂ）ユーザの通信端末から送信された情報媒体の特定のための情報媒体特定情報を前記受信手段で受信し、前記情報処理装置の第１登録手段に登録するステップ、
（ｃ）前記登録された情報媒体に関するユーザ個人情報を前記受信手段で受信し、前記情報処理装置の第２登録手段に更新可能に登録するステップ、
（ｄ）情報媒体の発売情報及び情報媒体特定情報を前記情報処理装置の記憶手段に記憶するステップ、
（ｅ）前記記憶手段に発売情報が記憶された情報媒体が前記第１登録手段に登録された情報媒体特定情報で特定された情報媒体であるか否かを前記情報処理装置の検索手段が検索するステップ、
（ｆ）ユーザの通信端末に前記検索手段で検索された情報媒体の発売情報を送信するステップ、
（ｇ）ユーザの通信端末に前記ユーザの通信端末からの要求情報に応じて前記ユーザ個人情報を表示するステップ、
（ｈ）前記登録したユーザが前記通信端末で前記情報処理装置にアクセスしたとき、前記登録された情報媒体特定情報の少なくとも一部を含む関連情報を前記通信端末に表示するステップ。
【００１３】
この情報媒体の発売情報提供方法によれば、ユーザは通信端末によりネットワークを介して情報処理装置が提供するサイトにアクセスし、情報処理装置のユーザ登録手段にユーザ登録をしてから、発売情報が必要な情報媒体を情報媒体特定情報として第１登録手段に登録しておくことで、記憶手段に記憶された情報媒体の発売情報が検索手段で情報媒体特定情報により検索され、ヒットした情報媒体の発売情報がユーザの通信端末に送信されるので、ユーザは登録した情報媒体の発売情報を確実に知ることができるとともに、登録された情報媒体に関するユーザ個人情報を第２登録手段に登録し、逐次更新できるので、ユーザは最新のユーザ個人情報を表示し確認でき、しかも最新の情報を確認できる。さらに、ユーザが情報処理装置にアクセスしたとき、登録された情報媒体特定情報の少なくとも一部を含む関連情報をアクセスしたユーザの通信端末に表示することで、例えばマイページ情報として表示されて、ユーザは登録された情報媒体特定情報の少なくとも一部を確認することができる。
【００１４】
上記情報媒体の発売情報提供方法において、前記発売情報に情報媒体の発売日情報が含まれ、前記送信ステップ（ｆ）が前記発売日情報にあわせて実行されることが好ましい。これにより、ユーザは登録した情報媒体の発売日情報を適切なタイミングで得ることができる。例えば、発売日の前日や当日に送信ステップ（ｆ）を実行することで、ユーザはその発売日情報を忘れ難くなる。
【００１５】
さらに、プログラムは、上述の情報媒体の発売情報提供システムの情報処理装置を前記各手段として機能させるためまたは上述の情報媒体の発売情報提供方法の前記各ステップを情報処理装置に実行させるためのコンピュータ用プログラムである。かかるプログラムがコンピュータ機能を有する情報処理装置にインストールされることで、上述の情報媒体の発売情報提供システム、方法を動作させ実行させることが可能となる。
【００１６】
なお、上記情報媒体の発売情報提供システム・方法及びプログラムにおいて、上記通信端末は、携帯電話機のような携帯通信端末であることが好ましく、ユーザは場所の限定なく確実かつ簡単に各種情報を得ることができる。
【００１７】
また、電子メールアドレスのユーザ登録情報を登録する際には、上記情報処理装置が提供するサイトにユーザの携帯通信端末から空メール（本文のない電子メール）を送信することで、ユーザ登録をすることができる。ユーザ登録のとき、携帯通信端末毎に付与された携帯固有情報（または、携帯固有番号等）がユーザの電子メールアドレスとともに登録される。以後、その携帯通信端末により情報処理装置にアクセスすると、携帯通信端末から携帯固有情報があわせて送信され、情報処理装置は、その携帯固有情報が登録済みであることを確認してから、ログインを許可するので、ＩＤ・パスワードの入力なしでログインが可能となり、ログインの操作が簡単になる。
【００１８】
また、携帯通信端末の機種変更があった場合、その都度、ユーザ登録を再度行うことは面倒であるが、次のようなログイン方法により簡単にログインすることができる。
【００１９】
すなわち、携帯通信端末の機種変更前に、情報処理装置がユーザの携帯通信端末に各種情報を送信するとき、情報処理装置がユーザの携帯通信端末毎に独自に付与し登録したパスワードをあわせて送信し、及び／又は、ユーザのパスワード送信要求に応じてそのパスワードを送信し、携帯通信端末の機種変更後の最初のアクセスのとき、ユーザが機種変更後の携帯通信端末に上記パスワードを入力して情報処理装置に送信し、受信した情報処理装置が上記パスワードを確認することで、情報処理装置が提供するサイトにログインが可能となるように構成できる。この最初のアクセスのときの機種変更後の携帯通信端末からの送信により、情報処理装置はその携帯通信端末の新たな携帯固有情報を取得し、その新たな携帯固有情報がユーザの電子メールアドレスとともに再登録される。
【００２０】
上述のようにして、携帯通信端末の機種変更があった場合、再ユーザ登録が自動的に行われ、情報処理装置が提供するサイトにログインが可能になる。かかるログイン方法は、上記情報媒体の発売情報提供システム・方法に適用可能であるのみならず、情報処理装置が提供するサイトに携帯通信端末でログインする際にユーザ登録の確認が必要な他の各種システム・方法に適用して好ましい。
【発明の効果】
【００２１】
本発明の情報媒体の発売情報提供システム、方法及びプログラムによれば、本、雑誌、新聞、映画や音楽やゲーム等の各種コンテンツが格納された記憶媒体等の各種情報媒体の発売情報をユーザが確実に知ることができかつ情報媒体に関する登録したユーザ個人情報を表示し確認することができる。
【発明を実施するための最良の形態】
【００２２】
以下、本発明を実施するための最良の形態について図面を用いて説明する。図１は本実施形態における情報媒体の発売情報提供システムの全体を概念的に示す図である。
【００２３】
図１に示すように、情報媒体の発売情報提供システムは、システム管理者が管理するコンピュータ機能を備えた情報処理装置（以下、「サーバ」という。）１と、多数の一般ユーザがそれぞれ有する通信端末装置である携帯電話機１１、１２、１３、１４、１５と、がインターネット１０を介して接続可能に構成されている。なお、一般ユーザの各携帯電話機１１〜１５は基地局や中継局を介して無線でインターネット１０に接続するのが一般的であるが、図１では基地局や中継局の図示を省略している。
【００２４】
サーバ１は、一般ユーザの携帯電話機１１〜１５から各種情報を受信しまた一般ユーザの携帯電話機１１〜１５に各種情報を送信するＷＷＷサーバ２と、ユーザのＩＤ番号とパスワードの照合等の具体的数字を処理等するプログラムを格納したＣＧＩサーバ３と、ＷＷＷサーバ２から送られたユーザ情報や情報媒体の発売情報提供のための各種情報を記憶し登録し、検索可能な状態にし、検索した情報をＷＷＷサーバ２に送るデータベースサーバ４と、を備える。なお、ＣＧＩサーバ３は、例えばＰＨＰなどの処理プログラムを含む場合もある。
【００２５】
サーバ１は、情報媒体の発売情報提供システムのＷｅｂサイトを提供し、このＷｅｂサイトには、ＵＲＬを指定してインターネット１０を介して何人もアクセス可能となっている。
【００２６】
サーバ１の構成・機能の一例を図２を参照して説明する。図２は図１のサーバの構成・機能を概略的に示すブロック図である。図２のように、サーバ１は、ＷＷＷサーバ等から構成される通信部１ａと、ＣＧＩサーバ等から構成されるＩＤ情報照合部１ｂと、電子メール情報を作成するとともにインターネット上でメールアドレスの指定によりユーザとの間で送受信する電子メール部１ｃと、各種制御を実行するＣＰＵ（中央演算処理装置）１ｄと、制御の際のプログラムや各種情報を一時的に保持するＲＡＭ等からなるメモリ１ｅと、ハードディスクや磁気記録媒体等からなる記憶装置を備えデータベースサーバから構成されてユーザ情報や情報媒体の発売情報提供に関する各種情報を記憶し保存するデータベース部１ｆと、ＣＲＴや液晶パネル等からなる表示部１ｇと、キーボードやマウス等のポインティングデバイスからなる情報入力部１ｈと、ハードディスクやＲＯＭ等からなる記憶装置を備えＯＳ（オペレーティングシステム）２１や情報媒体の発売情報提供管理ソフト２２等のソフトウエアを格納するソフトウエア格納部１ｉと、を具備する。
【００２７】
図２のように、データベース部１ｆは、データベースの一部として、ユーザ登録情報を記憶し登録するユーザ情報登録部２４と、ユーザがその発売情報の提供を希望する情報媒体を特定する情報及びその特定した情報媒体に関するユーザの個人情報を記憶し登録する情報媒体登録部２５と、各種情報媒体の情報媒体特定情報及び発売情報を情報入力部１ｈから入力しまたはインターネットを介して自動的に入力することで記憶し登録する発売情報記憶部２６と、を備え、また、データベース内の各種情報を指定された検索条件で検索する情報検索部２３を備える。
【００２８】
図１、図２のサーバ１のソフトウエア格納部１ｉの情報媒体の発売情報提供管理ソフト２２には、情報媒体の発売情報提供管理のためのプログラムがインストールされて格納されており、このプログラムがＣＰＵ１ｄの制御により実行されることで、サーバ１は、図４，図９，図１３，図１５，図１６，図１７等における各ステップを実行することができる。
【００２９】
図１の携帯電話機１１〜１５は、テンキー等の各種の入力キー、操作キーが配置されて情報入力を行う情報入力部１１ｇ（図３）と、各種情報を表示する液晶パネル等からなる表示部１１ａ、１２ａ、１３ａ、１４ａ、１５ａをそれぞれ備える。図３を参照して携帯電話機１１を例にしてさらに説明する。図３は図１の携帯電話機１１の構成例を概略的に示すブロック図である。
【００３０】
図３のように、携帯電話機１１は、表示部１１ａと、インターネットを介して無線で外部との送受信を行う無線通信インターフェース（Ｉ／Ｆ）１１ｂと、受信部３１と送信部３２とを備え電子メール情報が作成されてメールアドレスの指定によりインターネットを介して送受信を行う電子メール部１１ｃと、携帯電話機の各種制御を実行するＣＰＵ（中央演算処理装置）１１ｄと、制御の際のプログラムや各種情報を一時的に保持するＲＡＭ等からなるメモリ１１ｅと、各種情報やプログラムを記憶するＲＯＭやＲＡＭ等からなる記憶部１１ｆと、情報入力部１１ｇと、を、備え、記憶部１１ｆの一部には、ＯＳ（オペレーティングシステム）３３や各種アプリケーションソフト３４やインターネット１０と接続するためのブラウザ３５等のソフトウエアを格納するソフトウエア格納部１１ｈが構成されている。
【００３１】
携帯電話機１１は、ブラウザ３５を起動しＵＲＬを指定することにより、サーバ１がＷｅｂ上で提供する情報媒体の発売情報提供システムのＷｅｂサイトにアクセス可能となる。携帯電話機１２〜１５も携帯電話機１１と同様に構成されている。
【００３２】
また、携帯電話機１１〜１５には、それぞれ各携帯電話機毎に携帯固有情報が付与され、サーバ１にアクセスする度にその携帯固有情報もあわせて送信されるようになっている。携帯固有情報は、携帯固有番号、携帯端末情報、携帯端末番号、固体識別番号、固体識別情報、ＵＩＤ、端末ＩＤ、固有端末ＩＤ、端末製造番号、ＥＺ番号、または、端末シリアル番号などともいわれる。
【００３３】
次に、図１〜図３の情報媒体の発売情報提供システムによる情報媒体の発売情報提供方法における各動作手順について図４〜図１８を参照して説明する。
【００３４】
〈ユーザ登録〉
最初にユーザ登録の手順について図４〜図８を参照して説明する。
【００３５】
図４は、本実施形態による情報媒体の発売情報提供方法におけるユーザ登録のステップＳ０１〜Ｓ０９を示すフローチャートである。図５はユーザ登録のとき図１，図３の携帯電話機の表示部に表示される初期画面の例を示す図である。図６は図１，図３の携帯電話機の新規登録・メールアドレス登録のための画面の例を示す図である。図７は図６のメールアドレス登録を確認し登録を完了させるための画面の例を示す図である。図８は図７の画面で行った本登録の確認のための画面の例を示す図である。
【００３６】
図１〜図３の情報媒体の発売情報提供システムのサーバ１が提供するＷｅｂサイトに登録しようとするユーザは、例えば図１の携帯電話機１１でブラウザ３５を起動しＵＲＬを指定し送信することにより情報媒体の発売情報提供システムのＷｅｂサイトにアクセスすると（Ｓ０１）、サーバ１はユーザの携帯電話機１１に送信することで、携帯電話機１１の表示部１１ａに図５のような初期画面４１が表示される（Ｓ０２）。
【００３７】
図５の携帯電話機１１の画面４１で新規登録ボタン４２を入力部１１ｇの操作で選択しクリックすることで、携帯電話機１１の表示部１１ａに図６のような新規登録・メールアドレス登録のための画面４４が表示される（Ｓ０３）。
【００３８】
図６の画面４４でメール送信ボタン４５を入力部１１ｇの操作で選択しクリックすると、図３の携帯電話機１１の電子メール部１１ｃが立ち上がり、送信部３２の送信画面で空メール（本文のない電子メール）をサーバ１に送信する（Ｓ０４）。
【００３９】
上記空メールをサーバ１が受信すると、その空メールに含まれたメールアドレスを図２のユーザ情報登録部２４に登録するとともに、携帯電話機１１に送信し、その表示部１１ａに図７のような登録確認の画面４６が表示される（Ｓ０５）。
【００４０】
図７の携帯電話機１１の画面４６で登録ボタン４７を入力部１１ｇの操作で選択しクリックして登録完了用情報がサーバ１に送信されると（Ｓ０６）、サーバ１は登録完了用情報を受信するとともに携帯電話機１１の携帯固有情報を取得し、その携帯固有情報を上記登録されたメールアドレスと関連付けて図２のユーザ情報登録部２４に登録する（Ｓ０７）。
【００４１】
上述のようにして、サーバ１のデータベース部１ｆのユーザ情報登録部２４にユーザの電子メールアドレスと携帯固有情報とが登録されると、サーバ１は登録完了情報を携帯電話機１１に送信し、図８のような本登録完了を知らせる画面４８が携帯電話機１１の表示部１１ａに表示され（Ｓ０８）、ユーザ登録が完了する（Ｓ０９）。
【００４２】
上記ユーザ登録が完了すると、ユーザは携帯電話機１１の入力部１１ｇの操作で図８のログインボタン４９を選択しクリックすることでサーバ１が提供するＷｅｂサイトにログインすることができる。これにより、以降のログインのとき、サーバ１が携帯電話機１１の携帯固有情報を確認することで、ＩＤ・パスワードの入力なしでログインが可能となる。
【００４３】
すなわち、上述のユーザ登録後には、携帯電話機１１でブラウザ３５を起動しＵＲＬを指定しサーバ１に送信することで、サーバ１が提供するＷｅｂサイトにログイン可能となり、具体的には、図１０のマイページ画面５０がユーザの携帯電話機の表示部に表示される。
【００４４】
〈情報媒体特定情報の登録〉
次に、上記ユーザ登録済みのユーザが発売情報の提供を希望する情報媒体を特定する情報を登録する手順について図９〜図１２を参照して説明する。
【００４５】
図９は、本実施形態による情報媒体の発売情報提供方法において情報媒体特定情報を登録するステップＳ１１〜Ｓ１８を示すフローチャートである。図１０は図９でログインした後の携帯電話機の表示部に表示されるマイページ画面の例を示す図である。図１１は図９で登録のために本のタイトル等を検索する際の検索画面の例を示す図である。図１２は図９で登録した登録情報・ユーザ個人情報を表示する登録情報画面の例を示す図である。
【００４６】
ユーザは登録済みの図１，図３の携帯電話機１１でブラウザ３５を起動しＵＲＬを指定しサーバ１に送信することにより、図１〜図３の情報媒体の発売情報提供システムのサーバ１が提供するＷｅｂサイトにアクセスする（Ｓ１１）。サーバ１は、携帯電話機１１から携帯固有情報を受信し、図２のＩＤ情報照合部１ｂを介してデータベース部１ｆのユーザ情報登録部２４にその携帯固有情報がユーザ登録されていることを確認する（Ｓ１２）。これにより、携帯電話機１１によるログインが許可される。
【００４７】
次に、サーバ１からの送信によりユーザの携帯電話機１１の表示部１１ａに図１０のようなユーザ毎に作成されるマイページ画面５０が表示される（Ｓ１３）。
【００４８】
図１０のマイページ画面５０は、ユーザが発売情報の提供を希望する情報媒体の登録のために検索する検索画面５１と、登録済みの情報媒体特定情報の一部（例えば、本のタイトル）を含む関連情報を表示する関連情報画面５４とを含む。関連情報画面５４には、その登録済みの本のタイトルを表示するタイトル欄５５が表示され、タイトル欄５５に続く情報欄５５ａに、その本の発行済みの巻数を、例えば、「１〜５」のように表示するようにしてもよい。また、登録済みの情報媒体数が多くなった場合は、関連情報画面５４が複数頁になり、登録済みの本のタイトル等が分割されて表示される。
【００４９】
ユーザが図１０のマイページ画面５０の検索画面５１において分野で検索する場合、分野選択欄５２から例えば「漫画」を入力部１１ｇの操作で選択しクリックすると、図１１のような検索画面５７が表示される。図１１の検索画面５７において、キーワード検索部５８では漫画のタイトル名の少なくとも一部を入力部１１ｇの操作で入力し、または漫画名五十音検索部５９、著作者名五十音検索部６０ではあ行〜わ行のいずれかを入力部１１ｇの操作で選択しクリックすることでタイトルや著作者の入力動作を行い（Ｓ１４）、その入力情報がサーバ１に送信され、サーバ１はデータベース部１ｆにおいて発売情報記憶部２６に記憶されているタイトル名や著作者名の情報媒体特定情報を検索する（Ｓ１５）。
【００５０】
上記検索によりヒットしたタイトル名・著作者名がユーザの携帯電話機１１の表示部１１ａの検索結果表示画面（図示省略）に表示され、登録を望むタイトル名・著作者名をその検索結果表示画面において入力部１１ｇの操作で選択することで決定すると（Ｓ１６）、図１２の登録情報画面６６が表示され、その画面６６の情報欄６７にその情報媒体（例えば、漫画全集）のタイトル、著作者、出版社が表示され、別の情報欄６８に第何巻まで発売されているかが表示され、その発行日が情報欄６８ａに表示される。画面６６の情報欄６７に表示されたタイトル名等が上記決定した内容であることを確認してから、画面６６の登録ボタン７０を入力部１１ｇの操作で選択しクリックすることで、タイトル名と著作者名とがサーバ１に送信され、データベース部１ｆの情報媒体登録部２５に登録される（Ｓ１７）。
【００５１】
なお、ステップＳ１６でタイトル・著作者を決定できない場合は、ステップＳ１４に戻り、図１１の検索画面５７で再入力動作を行う。また、図６の画面６６にはもう１つの情報欄６９が表示され、ユーザ個人情報としてユーザが読み終わった巻数を表示可能であるが、登録当初は、情報欄６９は空欄であり、図１６のようにその巻数を情報欄６９に入力し登録することができる。
【００５２】
上述のようにして、ユーザが発売情報の提供を希望する情報媒体をサーバ１の情報媒体登録部２５に登録することができ、登録が完了する（Ｓ１８）。なお、上記登録が完了すると、次回からのログイン時に、その登録した情報媒体の特定情報の一部が図１０のように、マイページ画面５０の関連情報画面５４に表示される。
【００５３】
また、図１０において検索画面５１で分野を特定せずに検索する場合は、一般検索５３を入力部１１ｇの操作で選択しクリックすることで一般検索画面（図示省略）が表示され、タイトル名や著作者名や出版社等を入力して検索を行うことができる。
【００５４】
〈電子メールによる発売情報の通知〉
次に、上記登録済みの情報媒体の発売情報をユーザに電子メールで通知する手順について図１３，図１４を参照して説明する。
【００５５】
図１３は、本実施形態による情報媒体の発売情報提供方法において情報媒体の発売情報を電子メールで通知するステップＳ２１〜Ｓ２６を示すフローチャートである。図１４は図１２の発売情報の通知メールの画面の例を示す図である。
【００５６】
図１，図２のサーバ１の発売情報記憶部２６には情報媒体の新たな発売情報が記憶される（Ｓ２１）。かかる発売情報は、発売日や巻番号等を含み、情報入力部１ｈから入力したりまたはインターネットを介して外部から受信して自動的に入力することで発売情報記憶部２６に記憶され登録される。
【００５７】
次に、サーバ１は、情報検索部２３により情報媒体登録部２５において、新たな発売情報が記憶された情報媒体のタイトル名と著作者名とを検索する（Ｓ２２）。
【００５８】
検索の結果、ヒットすると（Ｓ２３）、発売情報に含まれる発売日にあわせて、そのヒットしたユーザの携帯電話機１１〜１５のメールアドレスに対しサーバ１が図１３のような発売情報を含む電子メールを送信する（Ｓ２４）。
【００５９】
ユーザの携帯電話機１１がサーバ１からの電子メールを受信し（Ｓ２５）、その携帯電話機１１の表示部１１ａに図１４のような発売情報の通知画面６１が表示される（Ｓ２６）。
【００６０】
上記電子メールの図１４の通知画面６１において、情報欄６２にタイトル、著作者、出版社が表示され、別の情報欄６３にその記録媒体の発売情報として発売予定の巻数６３ａと、発売日６３ｂとが表示される。なお、巻毎に、そのサブタイトルが付けられている場合は、そのサブタイトルをあわせて表示するようにしてもよい。
【００６１】
また、図１４の画面６１の登録情報ボタン６４を入力部１１ｇの操作で選択しクリックすることで、図１２の登録情報画面６６を表示することができ、発売情報が通知された情報媒体に関する登録したユーザ個人情報を表示できる。図１２のように、登録情報画面６６には、情報欄６７，６８に加えて、情報欄６９にユーザが読み終わった巻数がユーザ個人情報として表示される。これにより、ユーザは、その漫画全集が第何巻まで発行されており、第何巻まで読み終わっているか等のユーザ個人情報を簡単かつ確実に知ることができる。
【００６２】
また、登録情報画面６６の情報欄６９の近くに追加の情報欄６９ａを設け、この追加の情報欄６９ａに、ユーザ個人情報の一部として情報欄６９に登録した日付を表示するようにしてもよい。また、情報欄６９及び追加の情報欄６９ａに、過去に読み終わった複数の巻数をその登録した日付とともに表示するようにしてもよい。
【００６３】
上述のようにして、ユーザは、登録した情報媒体の新たな発売情報を通知する電子メールを携帯電話機で受信することにより、その発売日を知ることができるとともに、その発売情報が通知された情報媒体に関する登録したユーザ個人情報（第何巻まで読んでいるかの情報等）を見て確認することができる。
【００６４】
また、図１３の各ステップのうち少なくともステップＳ２４〜Ｓ２６は、発売日にあわせて実行されるが、その情報媒体の発売日の前日に実行されることが好ましい。これにより、ユーザは、翌日が発売日であることを知ることができ、購入を忘れ難くなる。また、前日に限定されず、発売日当日であってもよい。また、少なくともステップＳ２４〜Ｓ２６は、例えば、発売日の一週間前と前日、一週間前と当日、前日と当日のように、複数回実行されるようにしてもよい。
【００６５】
〈登録したユーザ個人情報の表示〉
次に、上記登録済みの情報媒体に関する登録したユーザ個人情報を表示する手順について図１５，図１２を参照して説明する。
【００６６】
図１５は、本実施形態による情報媒体の発売情報提供方法において登録済みの情報媒体に関する登録したユーザ個人情報を表示するステップＳ３１〜Ｓ３８を示すフローチャートである。
【００６７】
ユーザが携帯電話機１１でサーバ１が提供するＷｅｂサイトにアクセスし、携帯電話機１１の表示部１１ａに図１０のようなユーザのマイページ画面５０が表示されるまでのステップＳ３１〜Ｓ３３は、図９のステップＳ１１〜Ｓ１３と同様である。
【００６８】
図１０のマイページ画面５０には、登録済みの情報媒体特定情報を表示する画面５４が表示され、その中から表示を希望する登録した特定情報を選んでそのタイトル欄５５を入力部１１ｇの操作で選択しクリックする（Ｓ３４）。
【００６９】
次に、上記選択情報をサーバ１が受信し、その選択された、情報媒体登録部２５に登録されたユーザ個人情報をサーバ１からユーザの携帯電話機１１に送信する（Ｓ３５）。
【００７０】
携帯電話機１１が登録されたユーザの個人情報を受信し、表示部１１ａに図１２の登録情報画面６６が表示される（Ｓ３６）。
【００７１】
図１２の画面６６には、上述のように、登録されたユーザの個人情報として、情報欄６７にその情報媒体（例えば、漫画全集）のタイトル、著作者、出版社が表示され、別の情報欄６８に第何巻まで発売されているかが表示され、その発行日が情報欄６８ａに表示されるが、さらに別の情報欄６９にユーザが読み終わった巻数が表示される。これにより、ユーザは、その漫画全集が第何巻まで発行されており、第何巻まで読み終わっているかを簡単かつ確実に知ることができる。
【００７２】
なお、ステップＳ３４では、図１０のマイページ画面５０の中のタイトル欄５５からから表示を希望する登録したタイトル名を選択したが、図１４の登録した情報媒体の発売情報を通知する画面６１からその登録済みの情報媒体に関する登録したユーザ個人情報を表示可能である。すなわち、携帯電話機１１の表示部１１ａにおいて、上述のように、図１４の画面６１の登録情報ボタン６４を入力部１１ｇの操作で選択しクリックすることで、図１２の登録情報画面６６を表示し、その登録したユーザ個人情報を表示し確認することができる。
【００７３】
また、図１２の登録情報画面６６において情報欄６８に表示される巻数と、情報欄６８ａに表示される発行日に関して、図１４のような新たな発売情報がサーバ１の発売情報記憶部２６に記憶されると、その後の図１２の画面６６の情報欄６８，６８ａには、新たな巻数と発行日とが表示されるようになっている。
【００７４】
また、図９で情報媒体特定情報としてタイトル名と著作者名とがサーバ１の情報媒体登録部２５に登録されると、図１０のマイページ画面５０の画面５４のタイトル欄５５に、そのタイトル名が表示されるようになる。
【００７５】
また、図１２の登録情報画面６６において、その登録情報がもはや必要でなくなったときは、解除ボタン７０ａを入力部１１ｇの操作で選択しクリックする操作を介して、その登録情報を解除しサーバ１から消去することができる。この場合、その登録情報が解除され消去されると、図１０のマイページ画面５０のタイトル欄５５からその解除された登録情報の本のタイトル等が消去される。
【００７６】
〈登録したユーザ個人情報の更新〉
次に、上記登録済みの情報媒体に関する登録したユーザ個人情報を更新する手順について図１６を参照して説明する。図１６は、本実施形態による情報媒体の発売情報提供方法において登録済みの情報媒体に関する登録したユーザ個人情報を更新するステップＳ４１〜Ｓ４４を示すフローチャートである。
【００７７】
図１４と同様にしてユーザの携帯電話機１１の表示部１１ａに図１２のような登録情報画面６６が表示されると（Ｓ４１）、ユーザは、更新情報として、画面６６の情報欄６９にユーザが読み終わった最新の巻数（例えば、第１０巻）を入力部１１ｇの操作で入力し（Ｓ４２）、登録ボタン７０を選択しクリックすることで携帯電話機１１からサーバ１にその更新情報を送信する（Ｓ４３）。
【００７８】
携帯電話機１１から更新情報を受信したサーバ１は、その更新情報で例えば図１２の画面６６の情報欄６９に表示される情報を情報媒体登録部２５に更新して登録する（Ｓ４４）。
【００７９】
上述のようにして、ユーザは、例えば、画面６６の情報欄６９に表示されるユーザが読み終わった最新の巻数を、その都度、更新して登録することができる。これにより、図１０のマイページ画面５０または図１４の発売情報通知画面６１から図１２の登録情報画面６６を開き、登録したユーザ個人情報を表示すると、画面６６の情報欄６９にユーザが読み終わった最新の巻数が表示されるので、ユーザは、その全集の第何巻まで読み終わっているかの最新情報を簡単に得ることができる。
【００８０】
〈携帯電話機の機種変更後のログイン方法〉
次に、上記登録した携帯電話機を機種変更した場合にログインする手順について図１７，図１８を参照して説明する。
【００８１】
図１７は、本実施形態による情報媒体の発売情報提供方法において上記登録した携帯電話機を機種変更した場合にログインする際のステップＳ５１〜Ｓ６１を示すフローチャートである。図１８は図１７で機種変更後の携帯電話機でログインする際にユーザの携帯電話機に表示される画面の例を示す図である。
【００８２】
図４のようにして登録したユーザの携帯電話機１１に対し通常時にサーバ１が各種情報を送信するとき、携帯電話機毎にサーバ１が独自に付与してユーザ情報登録部２４に登録したパスワードをあわせて送信する（Ｓ５１）。これにより、携帯電話機１１の表示部１１ａに、例えば、そのパスワード６５が図１３の発売情報を通知する電子メールの画面６１で「復活の呪文」として表示される。
【００８３】
携帯電話機１１を機種変更した場合（Ｓ５２）、その機種変更後の携帯電話機を説明の便宜上、図１の携帯電話機１５とすると、携帯電話機１５でサーバ１にアクセスすると（Ｓ５３）、その携帯電話機１５の表示部１５ａには、図５の初期画面４１が表示される（Ｓ５４）。
【００８４】
図５の表示画面４１で、復活の呪文ボタン４３を入力部１１ｇの操作で選択しクリックすると（Ｓ５５）、携帯電話機１５の表示部１５ａには、図１８のような画面７１が表示される。この画面７１で入力欄７２に、上記ステップ５１で得たパスワード（復活の呪文）を入力部１１ｇの操作で入力し、復活ボタン７３を入力部１１ｇの操作で選択しクリックすることで、サーバ１に送信する（Ｓ５６）。
【００８５】
サーバ１は、上記パスワードを含む情報を受信すると、ユーザ情報登録部２４を検索してそのパスワードが登録されたものであるかを確認してから（Ｓ５７）、その携帯電話機１５によるログインを許可し、ユーザは携帯電話機１５でサーバ１が提供するＷｅｂサイトにログインする（Ｓ５８）。
【００８６】
一方、サーバ１は、機種変更後の携帯電話機１５の新たな携帯固有情報を取得し、メールアドレスとともにサーバ１のユーザ情報登録部２４に登録し（Ｓ５９）、サーバ１から携帯電話機１５に登録完了情報を送信し（Ｓ６０）、再ユーザ登録が自動的に完了する（Ｓ６１）。
【００８７】
次回以降、その機種変更後の携帯電話機１５でサーバ１が提供するＷｅｂサイトにアクセスすると、機種変更前と同様の図１０のマイページ画面５０が携帯電話機１５の表示部１５ａに表示される。
【００８８】
以上のように本発明を実施するための最良の形態について説明したが、本発明はこれらに限定されるものではなく、本発明の技術的思想の範囲内で各種の変形が可能である。例えば、本実施形態では、発売情報の通知を希望する情報媒体の例として、漫画本を例にしたが、本発明はこれに限定されるものではなく、各種の情報媒体であってもよいことはもちろんであり、例えば、他の本、雑誌、新聞、または、映画や音楽やゲーム等の各種コンテンツが格納された磁気テープ・ＣＤ・ＤＶＤ・高密度光ディスク（ＤＶＤよりも記録容量の大きい）等の記憶媒体であってもよい。
【００８９】
また、図１，図２のサーバ（情報処理装置）の構成例は一例であって、他の構成であってもよいことはもちろんである。さらに、図３の携帯電話機の構成例は一例であって、他の構成であってもよいことはもちろんである。また、ユーザの携帯電話機の表示部に表示されるものとして図示した各画面は、例示であって、他の表示態様に適宜変更可能であることはもちろんである。
【００９０】
また、携帯電話機の機種変更後にログインするための図１４の画面６１に表示したパスワード６５は、他の画面に表示するようにしてもよく、例えば、図１０，図１２の画面５０や画面６６に表示するようにしてもよい。
【００９１】
さらに、図１０のように、マイページ画面５０に、上記パスワードの送信をサーバ１に要求するためのパスワードボタン５６を設け、機種変更前に図１０のパスワードボタン５６を入力部１１ｇの操作で選択しクリックしてサーバ１に送信を要求することで、サーバ１からパスワードを受信するようにしてもよい。例えば、図１０，図１２，図１４の画面５０，６６，６１等に自動的に表示せず、サーバ１はユーザからパスワードの送信要求があった場合にのみパスワードを送信するようにすることで、セキュリティを向上できる。
【００９２】
また、図１２の登録したユーザ個人情報を表示する登録情報画面６６において、情報欄６８は発行されたすべての巻数が表示されるように構成してもよく、また、情報欄６９はユーザが読み終わったすべての巻数が表示されるように構成してもよい。著作集などは、必ずしも第１巻から順に発売されず、ランダムに発売されることもあるが、このような場合にも対応可能となる。
【００９３】
また、登録されるユーザ個人情報として、ユーザが読み終わった巻数を登録し表示するようにしたが、これに限定されず、登録した情報媒体に関するユーザ個人の他の情報であってもよく、例えば、ユーザの読後感などを書き込み可能なコメント欄を設け登録し表示できるようにしてもよい。
【００９４】
また、本実施の形態では、通信端末として携帯電話機を用いたが、本発明はこれに限定されず、例えば、インターネット接続可能な携帯端末装置（ＰＤＡ）やパソコンやテレビ等を用いてもよい。パソコンやテレビの場合は、サーバ１が提供するＷｅｂサイトに、予め登録したＩＤとパスワードとの入力によりログインするように構成可能である。
【００９５】
また、図１２の登録情報画面６６の情報欄６７に表示された著作者の欄６７ａや出版社の欄６７ｂ、図１４の通知画面６１の情報欄６２に表示された著作者の欄６２ａや出版社の欄６２ｂを入力部１１ｇの操作で選択しクリックすることで、サーバ１の発売情報記憶部２６に記憶され登録されている同じ著作者の他の本や同じ出版社の他の本のリストが携帯電話機に表示部に表示されるようにしてもよい。
【図面の簡単な説明】
【００９６】
【図１】本実施形態における情報媒体の発売情報提供システムの全体を概念的に示す図である。
【図２】図１のサーバの構成・機能の例を概略的に示すブロック図である。
【図３】図１の携帯電話機の構成例を概略的に示すブロック図である。
【図４】本実施形態による情報媒体の発売情報提供方法におけるユーザ登録のステップＳ０１〜Ｓ０９を示すフローチャートである。
【図５】ユーザ登録のとき図１，図３の携帯電話機の表示部に表示される初期画面の例を示す図である。
【図６】図１，図３の携帯電話機の新規登録・メールアドレス登録のための画面の例を示す図である。
【図７】図６のメールアドレス登録を確認し登録を完了させるための画面の例を示す図である。
【図８】図７の画面で行った本登録の確認のための画面の例を示す図である。
【図９】本実施形態による情報媒体の発売情報提供方法において情報媒体特定情報を登録するステップＳ１１〜Ｓ１８を示すフローチャートである。
【図１０】図９でログインした後の携帯電話機の表示部に表示されるマイページ画面の例を示す図である。
【図１１】図９で登録のために本のタイトル等を検索する際の検索画面の例を示す図である。
【図１２】図９や図１６で登録した登録情報・ユーザ個人情報を表示する登録情報画面の例を示す図である。
【図１３】本実施形態による情報媒体の発売情報提供方法において情報媒体の発売情報を電子メールで通知するステップＳ２１〜Ｓ２６を示すフローチャートである。
【図１４】図１２の発売情報の通知メールの画面の例を示す図である。
【図１５】本実施形態による情報媒体の発売情報提供方法において登録済みの情報媒体に関する登録したユーザ個人情報を表示するステップＳ３１〜Ｓ３６を示すフローチャートである。
【図１６】本実施形態による情報媒体の発売情報提供方法において登録済みの情報媒体に関する登録したユーザ個人情報を更新するステップＳ４１〜Ｓ４４を示すフローチャートである。
【図１７】本実施形態による情報媒体の発売情報提供方法において上記登録した携帯電話機を機種変更した場合にログインする際のステップＳ５１〜Ｓ６１を示すフローチャートである。
【図１８】図１７で機種変更後の携帯電話機でログインする際にユーザの携帯電話機に表示される画面の例を示す図である。
【符号の説明】
【００９７】
１ サーバ、情報処理装置
１ｆ データベース部
１ｉ ソフトウエア格納部
２２ 発売情報提供管理ソフト
２３ 情報検索部
２４ ユーザ情報登録部
２５ 情報媒体登録部
２６ 発売情報記憶部
１０ インターネット
１１〜１５ 携帯電話機（通信端末）
１１ａ〜１５ａ 表示部
１１ｃ 電子メール部
１１ｇ 情報入力部
【図１】
2010128910.tif 000003
【図２】
2010128910.tif 000004
【図３】
2010128910.tif 000005
【図４】
2010128910.tif 000006
【図５】
2010128910.tif 000007
【図６】
2010128910.tif 000008
【図７】
2010128910.tif 000009
【図８】
2010128910.tif 000010
【図９】
2010128910.tif 000011
【図１０】
2010128910.tif 000012
【図１１】
2010128910.tif 000013
【図１２】
2010128910.tif 000014
【図１３】
2010128910.tif 000015
【図１４】
2010128910.tif 000016
【図１５】
2010128910.tif 000017
【図１６】
2010128910.tif 000018
【図１７】
2010128910.tif 000019
【図１８】
2010128910.tif 000020